(57)【要約】【課題】接触安定性を増したカードコネクタを提供する。【解決手段】ＩＣカード６の外部端子７と接続されるコネクタ端子１１の接触端子部を、ＩＣカード６の挿入方向に沿って２箇所配置するとともに、一方の接触端子部１３は、ＩＣカード６の挿入方向と直交する方向に沿ってＩＣカード６の外部端子７と線接触するように構成し、他方の接触端子部１２は、ＩＣカード６の外部端子７と点接触するように構成する。これら接触形態の異なる２種類の接触端子部によって外部端子７と接続させることにより、ＩＣカード６の外部端子７に付着した異物等による接触不良の影響を軽減する。【選択図】図４
2010250977.tif 000002
【特許請求の範囲】
【請求項１】
被接続体挿入口と、導電性を有する弾性材からなり先端部側に前記被接続体挿入口から挿入された被接続体により押圧されて該被接続体の外部端子と接触して電気的接続を行う接触端子部が設けられたコネクタ端子とを備えたコネクタにおいて、
前記コネクタ端子には、前記外部端子と点接触するように構成された第１の接触端子部および前記被接続体挿入方向と直交する方向に沿って前記外部端子と線接触するように構成された第２の接触端子部を含む複数の前記接触端子部が、前記被接続体挿入方向に沿って配置されていることを特徴とするコネクタ。
【請求項２】
前記被接続体挿入時に該被接続体の外部端子と最初に接触する前記接触端子部は前記第２の接触端子部によって形成され、前記被接続体の外部端子と最後に接触する前記接触端子部は前記第１の接触端子部によって形成されていることを特徴とする請求項１に記載のコネクタ。
【請求項３】
前記第１の接触端子部は、その頂点において前記外部端子と接触する半球面状に形成されており、前記第２の接触端子部の前記被接続体挿入方向と直交する断面形状は、その一辺が前記外部端子と接触する矩形状に形成されていることを特徴とする請求項１または２に記載のコネクタ。
【請求項４】
前記コネクタ端子は、その先端部が前記被接続体挿入口の奥側に位置するように配置され、前記被接続体挿入時に該被接続体の外部端子と最後に接触する前記接触端子部は、前記被接続体挿入時に該被接続体の外部端子と最初に接触する前記接触端子部よりも、先端部に近い位置に形成されていることを特徴とする請求項１〜３のいずれか１項に記載のコネクタ。
【請求項５】
前記被接続体は、ＩＣカードであることを特徴とする請求項１〜４のいずれか１項に記載のコネクタ。
【発明の詳細な説明】
【技術分野】
【０００１】
本発明は、ＩＣカード等のカード状電子機器が挿入されたときに該カード状電子機器の外部端子と接触して電気的接続を行うコネクタに関し、特に接触端子部の構造に関する。
【背景技術】
【０００２】
ＩＣカードコネクタは、携帯電話機、デジタルカメラ等の小型電子機器に備えられ、種々のデータを記憶するＳＩＭカード、マルチメディアカード、メモリーカード等のＩＣカードを装着して、ＩＣカードと電子機器間でデータの入出力を行うことにより小型電子機器の機能拡張等を行う手段として用いられている。
【０００３】
図１は、本発明が適用されるカードコネクタの一例を示す斜視図であり、図７は、図１のカードコネクタにおける従来例を示すａ−ａ’線に沿う断面図である。また、図８、図９は、従来例のカードコネクタにＩＣカードが挿入されるときの状態を示す断面図である。
【０００４】
カードコネクタ１は、金属あるいは樹脂材からなる上ケース２と樹脂材である下ケース３とが上下に組み合わせて構成され、その一端にカード挿入口９が設けられている。下ケース３には、カード挿入口９から挿入されたＩＣカード６の外部端子７との電気的接続を行う接触端子部５、およびカードコネクタ１が電子機器基板に取り付けられたときに基板に設けられた接続端子と半田付けされる半田付け端子部１０が一体に形成された導電性と弾性を有するコネクタ端子４が圧入により組み込み保持されている。
【０００５】
このカードコネクタ１にカード挿入口９からＩＣカード６が挿入されると、この導電性と弾性を有するコネクタ端子４が、ＩＣカード６の下面で押し付けられることにより下方向に湾曲され、ＩＣカード６が完全に挿入されたとき、ＩＣカード６の外部端子７とコネクタ端子４の接触端子部５が圧接されて、カードコネクタ１とＩＣカード６が電気的に接続される。
【０００６】
その際、ＩＣカード６の外部端子７に絶縁異物８が付着していると、図９に示すように、接触端子部５とＩＣカード６の外部端子７の接触界面に絶縁異物８が介在して接触不良を発生させる問題があった。また、このような場合、一度、ＩＣカード６を抜き取り、ＩＣカード６の外部端子７を拭くなどして、絶縁異物８を外部端子７から取り除いてから再度、ＩＣカード６をコネクタ１のカード挿入口９から挿入しなければならず、操作が煩雑となる。
【０００７】
このような問題を解決する手段として、特許文献１には、導電性を有する弾性材によって形成された接触子を備え、ＩＣカードの外部端子に圧接される接触部がこの接触子の先端部を屈曲させるように形成されたカードコネクタにおいて、前記接触子に接触部を複数並設し、接触子をＩＣカードの外部端子に複数個所で接触させることにより、導通不良を起こし難くする技術が記載されている。
【先行技術文献】
【特許文献】
【０００８】
【特許文献１】特開平３−１２２９８２号公報
【発明の概要】
【発明が解決しようとする課題】
【０００９】
特許文献１に記載の発明によれば、カードコネクタの接触子は、ＩＣカードの外部端子と複数個所で接触しているので、導通不良を起こし難くなるが、特許文献１に記載の発明では、カードコネクタの接触子に設けられている複数の接触部は全て同じ構成の接触部として形成されているので、例えば、外部端子上に比較的広範囲に絶縁性の異物が付着されている場合、これら複数の接触部がこの異物から同じ影響を受けて全ての接触部で動通不良を起こす虞がある。
【００１０】
本発明の目的は、上述した課題を解決することが可能な、挿入されたカード状電子機器の外部端子と接触して電気的接続を行うコネクタを提供することにある。
【課題を解決するための手段】
【００１１】
本発明のコネクタは、被接続体挿入口と、導電性を有する弾性材からなり先端部側に前記被接続体挿入口から挿入された被接続体により押圧されて該被接続体の外部端子と接触して電気的接続を行う接触端子部が設けられたコネクタ端子とを備えたコネクタにおいて、前記コネクタ端子には、前記外部端子と点接触するように構成された第１の接触端子部および前記被接続体挿入方向と直交する方向に沿って前記外部端子と線接触するように構成された第２の接触端子部を含む複数の前記接触端子部が、前記被接続体挿入方向に沿って配置されていることを特徴とする。
【発明の効果】
【００１２】
本発明では、コネクタの１端子あたりの接触端子部を被接続体挿入方向に沿って複数配置するとともに、該複数の接触端子部の一部は、前記被接続体挿入方向と直交する方向に沿って被接続体の外部端子と線接触するように構成された接触端子部として形成し、また、該複数の接触端子部の内の一部は、前記外部端子と点接触するように構成された接触端子部として形成することにより、接触形態の異なる２種類の接触端子部による接続構成としているので、被接続体の外部端子に付着した異物による接触不良の影響を軽減することができる。
【００１３】
また、２種類の接触端子部のうち、一方は、被接続体挿入方向と直交する方向に沿って被接続体の外部端子と線接触するように構成しているので、被接続体の外部端子に付着した異物を被接続体の外部端子表面から掃き出す効果が得られ、他方は、被接続体の外部端子と点接触するように構成しているので、線接触よりは接触面積が少なくなり、異物の影響を受けにくくすることで、より接触安定性を増したカードコネクタを提供することができる。
【図面の簡単な説明】
【００１４】
【図１】本発明が適用されるカードコネクタの一例を示す外観斜視図である。
【図２】図１のａ−ａ’線に沿う本発明の実施形態を示すカードコネクタの断面図である。
【図３】本実施形態のカードコネクタにＩＣカードが挿入されるときの状態を示す図である。
【図４】本実施形態のカードコネクタにＩＣカードが挿入されるときの状態を示す図である。
【図５】図４のＡ−Ａ’線に沿ったＩＣカードの外部端子７と第１の接触端子部１２の接触状態を示す断面図である。
【図６】図４のＢ−Ｂ’線に沿ったＩＣカードの外部端子７と第２の接触端子部１３の接触状態を示す断面図である。
【図７】従来のカードコネクタの断面図である。
【図８】従来のカードコネクタにＩＣカードが挿入されるときの状態を説明するための図である。
【図９】従来のカードコネクタにＩＣカードが挿入されるときの状態を説明するための図である。
【発明を実施するための形態】
【００１５】
図１は、本発明が適用されるカードコネクタの一例を示す外観斜視図であり、図２は、図１のａ−ａ’線に沿う本発明の実施形態を示すカードコネクタの断面図である。また、図３、図４は、本実施形態のカードコネクタにＩＣカードが挿入されるときの状態を示している。
【００１６】
本実施形態のコネクタ１も、樹脂材あるいは金属からなる上ケース２と樹脂材である下ケース３とを上下に組み合わせて構成されている。下ケース３は、基板からの電気接続する為の半田付け端子部１０とＩＣカード６の挿入方向と同一直線上にＩＣカード６との電気的接続を行う第１の接触端子部１２及び第２の接触端子部１３を備えた導電性を有する弾性材であるコネクタ端子１１を圧入により組み込み保持された構造になっている。
【００１７】
また図５及び図６は、図４のＡ−Ａ’線、Ｂ−Ｂ’線にそれぞれ沿ったＩＣカード６の外部端子７と第１の接触端子部１２及び第２の接触端子部１３との間の接触状態を示す断面図である。
【００１８】
本実施形態におけるコネクタ端子１１の第１の接触端子部１２は、ＩＣカード６の外部端子７との接触界面が点接触となるように、その頂点で外部端子７と点接触する半球面状（断面円弧状の形状１４）に形成された構造となっている。
【００１９】
一方、コネクタ端子１１の第２の接触端子部１３は、ＩＣカード６の外部端子７との接触界面がコネクタ端子１１の横幅に亘って線接触されるように、その一辺（横幅）が外部端子７と線接触する断面矩形状１５に形成された構造になっている。
【００２０】
このように、本実施形態のコネクタ端子１１は、その先端部側に設けられてＩＣカード６の外部端子７と接触して電気的接続される接触端子部を、その頂点で外部端子７と点接触する半球面状に形成された第１の接触端子部１２と、コネクタ端子１１の横幅に亘って外部端子７と線接触する断面矩形状に形成された第２の接触端子部１３とを、ＩＣカード６の挿入方向に沿って併設した２接点構造を有している。
【００２１】
従って、ＩＣカード６がカード挿入口９から挿入される際、最初にＩＣカードの外部端子７と接触する第２の接触端子部１３を、コネクタ端子の横幅に亘って線接触させる形態とすることによって、第２の接触端子部１３により埃等の絶縁異物８を外部端子７外へ掃き出すように作用させることができ、一方、第１の接触端子部１２は、点接触となるように形成されているので、接触面積が少なくなり、異物の影響を受けにくくすることができる。
【００２２】
次に、本実施形態の動作について、図２〜図６を参照して説明する。
【００２３】
図２に示すカードコネクタ１のカード挿入口９からＩＣカード６が挿入される途中段階では、図３に示すように、点接触形態に構成された第１の接触端子部１２がＩＣカード６の外部端子７と接触するより先に、線接触形態に構成された第２の接触端子部１３がＩＣカード６の外部端子７と接触することになる。従って、ＩＣカード６の外部端子７に埃等の絶縁異物８が付着していた場合、まず先に第２の接触端子部１３に触れることになる。
【００２４】
絶縁異物８が第２の接触端子部１３に接触した状態から、さらにＩＣカード６を挿入すると、線接触形態に構成された第２の接触端子部１３が絶縁異物８を外部端子７面から掃き出すように作用し、最終的には、図４に示すカード装着状態となり、第１の接触端子部１２とＩＣカード６の外部端子７との接触界面には、絶縁異物８が介在しない接触となる。
【００２５】
本実施形態では、ＩＣカード６の外部端子７と接続されるコネクタ端子１１の接触端子部を、ＩＣカード６の挿入方向に沿って２箇所配置するとともに、一方の接触端子部１３は、ＩＣカード６の挿入方向と直交する方向に沿ってＩＣカード６の外部端子７と線接触するように構成し、他方の接触端子部１２は、ＩＣカード６の外部端子７と点接触するように構成しているので、接触形態の異なる２種類の接触端子部により外部端子７と接続されるため、ＩＣカード６の外部端子７に付着した異物８等による接触不良の影響を軽減することができる。
【００２６】
また、一方の接触端子部１３は、ＩＣカード６の挿入方向と直交する方向に沿ってＩＣカード６の外部端子７と線接触するように構成しているので、ＩＣカード６の外部端子７に付着した異物８を外部端子７の表面から掃き出す効果が得られ、他方の接触端子部１２は、ＩＣカード６の外部端子７と点接触するように構成しているので、線接触よりは接触面積が少なくなり、異物８の影響を受けにくくすることで、より接触安定性を増すことができる。
【００２７】
また本実施形態のコネクタ端子１１は、その先端部がカード挿入口９の奥側に位置するように配置され、ＩＣカード６挿入時にＩＣカード６の外部端子と最後に接触する接触端子部１２は、ＩＣカード６挿入時にＩＣカード６の外部端子と最初に接触する接触端子部１３よりも、先端部に近い位置に形成されているためその接触圧力を最も大きくすることができるとともに、最初に接触する接触端子部１３により異物８が取り除かれた状態において接触可能であるので、接触安定性を一層増すことができる。
【産業上の利用可能性】
【００２８】
上記実施形態では、１コネクタ端子あたりの接触端子部を２個配置した場合を示しているが、１コネクタ端子に配置される接触端子部をＮ（Ｎは２以上の整数）個とし、その一部は、ＩＣカード６の挿入方向と直交する方向に沿って外部端子７と線接触するように構成された接触端子部として形成し、残りは、外部端子７と点接触するように構成された接触端子部として形成することにより、同様の効果が得られる。
【００２９】
また、本実施形態のカードコネクタは、携帯電話機、デジタルカメラ、パーソナルコンピュ−タ等の、カードコネクタを備えている各種電子機器に対して活用することができる。
【００３０】
また上記実施形態ではカードコネクタについて説明したが、本実施例と同様な弾性材料を用いた圧接による接続構成を有するコネクタであれば、本発明を適用することにより同様な効果が得られる。よって、本発明は、カードコネクタのみに限らず本実施例と同様な弾性材料を用いた圧接による接続構成を有するコネクタ全般に対して適用可能である。
【符号の説明】
【００３１】
１  コネクタ
２  上ケース
３  下ケース
４  コネクタ端子
５  接触端子部
６  ＩＣカード
７  ＩＣカードの外部端子
８  埃等の絶縁異物
９  カード挿入口
１０  半田付け端子部
１１  コネクタ端子
１２  第１の接触端子部
１３  第２の接触端子部
１４  第１の接触端子部１２の断面形状
１５  第２の接触端子部１３の断面形状
【図１】
2010250977.tif 000003
【図２】
2010250977.tif 000004
【図３】
2010250977.tif 000005
【図４】
2010250977.tif 000006
【図５】
2010250977.tif 000007
【図６】
2010250977.tif 000008
【図７】
2010250977.tif 000009
【図８】
2010250977.tif 000010
【図９】
2010250977.tif 000011